(57)【要約】【課題】使用者に、除塵手段の作動状態を認知させることで、使用性を向上するとともに、確実に集塵部の内面に付着した塵埃を除塵できる電気掃除機を提供することを目的とする。【解決手段】吸込風を発する電動送風機５と、塵埃を捕集する集塵手段３と、前記集塵手段に付着した塵埃を除塵する除塵手段３０とを備え、前記除塵手段３０は、前記集塵手段３に除塵動作を与える除塵部２８と、前記除塵部２８と連結した動力伝達手段からなるとともに、前記除塵部２８から前記動力伝達手段までの動力伝達経路の少なくとも１ヶ所に隙間を設けて、前記除塵部２８が作動時、音が発生する構成とした電気掃除機で、前記除塵部２８が作動したとき、別途報知手段を設けなくとも、使用者は除塵手段３０の動作が確認できる。【選択図】  図１
2004248898.tif 000002
【特許請求の範囲】
【請求項１】
吸込風を発する電動送風機と、塵埃を捕集する集塵手段と、前記集塵手段に付着した塵埃を除塵する除塵手段とを備え、前記除塵手段は、前記集塵手段に除塵動作を与える除塵部と、前記除塵部に動力を伝達する動力伝達手段とからなるとともに、前記除塵部から前記動力伝達手段までの動力伝達経路の少なくとも１ヶ所に隙間を設けて、前記除塵部が作動時、音が発生する構成とした電気掃除機。
【請求項２】
吸込風を発する電動送風機と、塵埃を捕集する集塵手段と、前記集塵手段に付着した塵埃を除塵する除塵手段とを備え、前記除塵手段は、前記集塵手段に除塵動作を与える除塵部と、前記除塵部と連結した第二の可動部と、前記第二の可動部内に少なくとも一部が配された第一の可動部とからなるとともに、前記第一の可動部が作動したとき前記第二の可動部に接触することで、前記除塵部を作動させる電気掃除機。
【請求項３】
第一の可動部と第二の可動部とは、同一の回動軸にて回動する請求項２記載の電気掃除機。
【請求項４】
第一の可動部と第二の可動部とは、作動方向に隙間を設けて配置させてなる請求項２または３記載の電気掃除機。
【請求項５】
第一の可動部と第二の可動部との間に、軟質部材を設けた請求項２〜４のいずれか１項に記載の電気掃除機。
【請求項６】
第一の可動部に磁石を設け、前記磁石に対向して設けた電磁石に通電することで、前記第一の可動部を振動させる請求項２〜５のいずれか１項に記載の電気掃除機。
【発明の詳細な説明】
【０００１】
【発明の属する技術分野】
本発明は、集塵部の内面に付着した塵埃を除塵する除塵手段を有する電気掃除機に関するものである。
【０００２】
【従来の技術】
従来の集塵部の除塵手段を有する電気掃除機は、コイルとコアで形成された電磁石の磁界により振動する振動子からなる除塵手段の振動面を、掃除機本体内の集塵室内に着脱自在に装着された塵埃を捕集する集塵袋の、吸引風を発する電動送風機を配設した電動送風機室に連通する連通部に対向する外面、すなわち前記電動送風機の吸気口部側で塵埃が強く付着する側の外面に臨ませた構成をなし、スイッチ手段からの信号で、制御手段が任意の所定時間前記コイルを断続的に通電することで、その期間前記電磁石が振動子の吸引、乖離を繰り返して振動子に振動を与える。
【０００３】
これにより、振動子の振動面が集塵袋の外面を叩くことで、集塵袋の内面に付着した塵埃を除塵している（例えば、特許文献１参照）。
【０００４】
【特許文献１】
特開平５−９１９６２号公報（第２−３頁、第１図）
【０００５】
【発明が解決しようとする課題】
しかしながら上記従来の構成では、使用者にはスイッチ手段により除塵手段が作動してもその作動状態を確認する手段がないため、除塵手段が本当に正しく作動しているかが判らず、使用者に不安感を抱かせるものであった。
【０００６】
また、前記制御手段が定める任意の所定時間において所定の動作が滞りなく実行された場合は、電動送風機の吸気口部に面する集塵袋の面に付着した塵埃を除塵して電動送風機の吸い込み力の低下を防止するという目的は達し得るが、前述したように使用者は、除塵手段が動作していることが判らないため、制御手段が定める任意の所定時間が経過しないうちに、使用者が掃除機の電源を抜いてしまった場合は、意図した除塵が行えないまま除塵手段が停止してしまい、吸い込み力低下を防止するという本来の目的が達せられないという課題もあった。
【０００７】
本発明は、このような課題を解決するもので、使用者に、除塵手段の作動状態を認知させることで、使用性を向上するとともに、確実に集塵部の内面に付着した塵埃を除塵できる電気掃除機を提供することを目的とする。
【０００８】
【課題を解決するための手段】
上記目的を達成するために本発明は、吸込風を発する電動送風機と、塵埃を捕集する集塵手段と、前記集塵手段に付着した塵埃を除塵する除塵手段とを備え、前記除塵手段は、前記集塵手段に除塵動作を与える除塵部と、前記除塵部に動力を伝達する動力伝達手段とからなるとともに、前記除塵部から前記動力伝達手段までの動力伝達経路の少なくとも１ヶ所に隙間を設けて、前記除塵部が作動時、音が発生する構成とした電気掃除機で、前記除塵部が作動したとき、前記動力伝達経路から音が発生するため、別途報知手段を設けなくとも、使用者は除塵手段の動作が確認できる。
【０００９】
【発明の実施の形態】
本発明の請求項１記載の発明は、吸込風を発する電動送風機と、塵埃を捕集する集塵手段と、前記集塵手段に付着した塵埃を除塵する除塵手段とを備え、前記除塵手段は、前記集塵手段に除塵動作を与える除塵部と、前記除塵部に動力を伝達する動力伝達手段とからなるとともに、前記除塵部から前記動力伝達手段までの動力伝達経路の少なくとも１ヶ所に隙間を設けて、前記除塵部が作動時、音が発生する構成とした電気掃除機で、前記除塵部が作動したとき、前記動力伝達経路から音が発生するため、別途報知手段を設けなくとも、使用者は除塵手段の動作が確認できる。
【００１０】
本発明の請求項２記載の発明は、吸込風を発する電動送風機と、塵埃を捕集する集塵手段と、前記集塵手段に付着した塵埃を除塵する除塵手段とを備え、前記除塵手段は、前記集塵手段に除塵動作を与える除塵部と、前記除塵部と連結した第二の可動部と、前記第二の可動部内に少なくとも一部が配された第一の可動部とからなるとともに、前記第一の可動部が作動したとき前記第二の可動部に接触することで、前記除塵部を作動させる電気掃除機で、前記可動部が動作したとき、前記可動部から音が発生するため、別途報知手段を設けなくとも、使用者は除塵手段の動作が確認できる。
【００１１】
本発明の請求項３記載の発明は、第一の可動部と第二の可動部とは、同一の回動軸にて回動するもので、上記請求項２記載の動作および機能が、最小の部品点数で低コストにて実現できる。
【００１２】
本発明の請求項４記載の発明は、第一の可動部と第二の可動部とは、作動方向に隙間を設けて配置させてなるもので、移動方向にガタツキを生ずるクリクション構成としていることにより、前記可動部部品同士のガタツキによる接触から音が発生することで、使用者は動作音を確認できるため、報知手段としての機能も達成できる。
【００１３】
本発明の請求項５記載の発明は、第一の可動部と第二の可動部との間に、軟質部材を設けたもので、振動量に影響を与えず共振ポイントの調整が可能となる為、クリクションにより発する音の音量及び音色調整が可能となり製品仕様の多様性が向上する。
【００１４】
本発明の請求項６記載の発明は、第一の可動部に磁石を設け、前記磁石に対向して設けた電磁石に通電することで、前記第一の可動部を振動させるもので、上記請求項記載の構成の動作および機能が、低コストかつ確実に実現できる。
【００１５】
【実施例】
以下、本発明の一実施例を図を用いて説明する。
【００１６】
図１および図２に示すように、掃除機本体１は、外郭を形成する上方開口した下カバー２の前方に、塵埃を捕集する集塵手段３を収納する集塵室４と、後方に吸引風を発生する電動送風機５を収納する電動送風機室６を設け、前記電動送風機室６の上方を上カバー７により覆い、また前記集塵室４の上方へは、前記上カバー７に軸支して開閉自在に回動する蓋体８を設け構成されている。
【００１７】
前記集塵手段３は、硬質材で形成した固定部９と軟質材で通風性を有し、袋状に形成した集塵袋なる集塵部１０により構成され、前記集塵室４の前方には逆止弁１１を保持した前壁１２が形成され、その集塵室４側下方には断面が略Ｌ字状の保持リブ１３をコの字状に設けている。また、その上方にはバネ１４に付勢し軸支して回動する固定部押さえ１５が配設されており、これらは前記集塵手段３を収納するための保持手段としての機能を有している。
【００１８】
前記集塵手段３の固定部９下端を前記保持リブ１３に挿入し、その後固定部９の上端枠へ固定部押さえ１５を回動し爪部１６の引っ掛けにより保持を達成し、収納を行うものとしている。また、その際前記固定部９は、逆支弁１１と密着した状態で保持されるものとなり、塵埃を補集する集塵手段３と集塵室４とのタイトが確立し、ゴミもれ対策が行えるものとなっている。
【００１９】
次に前記電動送風機６は、クッション前２１及びクッション後２２を介して下カバー２と上カバー７とで狭持している。また集塵室４を仕切る仕切壁２３を下カバー２及び蓋体８に相対するように設けており、この仕切壁２３同士の間にパッキン２４を介して空気のタイトを行い気密性を確保している。集塵室４と電動送風機室６とは仕切壁２３によって仕切られており、仕切壁２３に設けた連通口２６を経て集塵室４と空気が連通するようにしている。前記連通口２６と電動送風機６の吸引口５ａとを対向させて配置させ、この連通口２６には格子状にリブ２７を形成している。
【００２０】
前記連通口２６の吸気上流側にあたる集塵室４内には、下カバー２より立設し収納された集塵手段３の集塵部１０外面に臨んで、振動動作を与えるための除塵部である振動板２８を有した除塵手段３０が設けられている。
【００２１】
振動装置３１は、集塵室４下方の下カバー２下部内に格納され蓋カバー２９で固定されており、振動装置３１の本体ケース３２からは、第一の可動部３３より立設した中空円柱状のアーム３４が集塵室４内へ突出しており、このアーム３４に格子形状をなす振動板２８の下部にある突起３６が挿入嵌合されている。振動板２８は、仕切壁２３の連通口２６に面する集塵部１０の外面に臨んだ位置に配設しているため、集塵部１０を通過して連通口２６から吸引される吸引風を遮らないように複数の開口部を有し格子形状となっている。
【００２２】
また、図３および図４に示すように、アーム３４はリング状のゴム製ブッシング３７を介して本体ケース３２に固定されている。また、動力伝達手段は以下のように構成されている。本体ケース３２内には、電磁石３８と電磁石３９の吸引作用面と対向して平行に配置された磁石４０を先端部に固着した第一の可動部３３が内蔵されており、第一の可動部３３の磁石４０と反対側の一端はゴム製のスリーブ４１を介してネジ４２により、第一の可動部３３が回動自在となるように本体ケース３２に固定されている。また、回動軸を前記第一の可動部３３と同一とし、前記アーム３４を有する第二の可動部６１を、前記第一の可動部３３の内方に配置させていて、前記両部品の間には隙間を形成し、振動方向（移動方向）にガタツキを設けるクリクション構成としている。また前記第一の可動部３３と前記第二の可動部６１間には、軟質部材６２を配している。
【００２３】
振動制御回路によりスイッチがＯＮされ電磁石３８にＡＣ１００Ｖ電源が通電されると、電磁石３９に生じた磁界により先端部に磁石４０を固着した第一の可動部３３はネジ４２で固定した一端を支点として振動する。第二の可動部６１の一部を前記第一の可動部３３の内方に配置させていて、前記両部品の間には隙間を形成しているため、前記第一の可動部３３が両部品の間の隙間以上振動すると、前記第二の可動部６１も、第一の可動部３３はネジ４２で固定した一端を支点として、前記第一の可動部３３とともに振動することになり、前記第二の可動部６１はアーム３４を有しているため、前記アーム３４がゴム製ブッシング３７を前後に撓ませながら矢印５３、５４方向へＡＣ１００Ｖ電源の電源周波数（５０Ｈｚまたは６０Ｈｚ）に応じた周期で振動する。その振動はアーム３４を介して振動板２８に伝えられ、振動板２８も同様に矢印５１、５２方向へ振動し、集塵手段３の集塵部１０の外面を振動させ除塵を行なうものである。
【００２４】
上記構成によって、第二の可動部６１と第一の可動部３３の間には隙間を形成し振動方向にガタツキを生ずるクリクション構成としていることにより、前記可動部部品同士のガタツキによる接触から音が発生することで、使用者は動作音を確認できるため、報知手段としての機能も達成できる。
【００２５】
また、集塵部１０の容積変化に伴う押し圧変化で、振動板２８の動作の変動が第二の可動部６１に影響を与えても、第一の可動部３３との間に設けたクリクション部での動作には影響が加わらない為、音の発生は安定して継続可能となり、使用者は動作音を確認できる。
【００２６】
また、第二の可動部６１と第一の可動部３３の間に軟質部材６２を取りつけることにより、振動量に影響を与えず共振ポイントの調整が可能となる為、クリクションにより発する音の音量及び音色調整が可能となり製品仕様の多様性が向上する。
【００２７】
なお、第一の可動部３３と第二の可動部６１との配置関係は、第一の可動部３３の少なくとも一部が、第二の可動部６１内に配されていて、第一の可動部３３が振動したとき、第二の可動部６１と接触すればよい。
【００２８】
また、本実施例においては、動力伝達手段である第一の可動部３３と第二の可動部６１との振動方向（移動方向）にガタツキ（隙間）を設けるクリクション構成としたが、振動板２８とアーム３４との振動方向（移動方向）にガタツキ（隙間）を設けるクリクション構成でもよく、要は、除塵部である振動板２８から動力伝達手段である第二の可動部６１や第一の可動部３３までの、動力伝達経路に隙間を設けて部品を配設したことで、前記振動板２８が作動時、音が発生すれば良いのである。
【００２９】
【発明の効果】
以上のように本発明によれば、使用者に、除塵手段の作動状態を認知させることで、使用性を向上するとともに、確実に集塵部の内面に付着した塵埃を除塵できる電気掃除機を提供できる。
【図面の簡単な説明】
【図１】本発明の一実施例を示す掃除機本体の側断面図
【図２】同蓋体を外した状態の本体の斜視図
【図３】同下カバーおよび除塵手段の部品構成を示した斜視図
【図４】同除塵手段の振動装置の拡大図
【符号の説明】
１  掃除機本体
３  集塵手段
５  電動送風機
２８  振動板（除塵部）
３０  除塵手段
３３  第一の可動部
６１  第二の可動部
【図１】
2004248898.tif 000003
【図２】
2004248898.tif 000004
【図３】
2004248898.tif 000005
【図４】
2004248898.tif 000006